(57)【要約】【課題】長手方向がケースと一致する形状を有する照明装置について、ケースを変形させることなく交換可能に取り付けることができる照明装置、商品展示装置及び表示装置を提供する。【解決手段】照明装置１０は、開口部１１１ａｏを有するケース１１１ａに収容される筒状の本体部１００と、本体部１００の端に設けられるコネクタ部１０１と、コネクタ部１０１に設けられた操作杆１０１ｂｒ及び１０１ｂｌと、操作杆１０１ｂｒ及び１０１ｂｌの開口部１１１ａｏに対向する側に形成され、ケース１１１ａに取り付ける際に操作杆１０１ｂｒ及び１０１ｂｌを変形させることで枠１１１ａｒ及び１１１ａｌを超えて係止し、ケース１１１ａから取り外す際に操作杆１０１ｂｒ及び１０１ｂｌを弾性変形させることで枠１１１ａｒ及び１１１ａｌに対する係止が解除される爪部１０１ａｒ及び１０１ａｌとを有する。【選択図】図２
2017098159.tif 000002
【特許請求の範囲】
【請求項１】
一の方向を長手方向とする外形に、前記一の方向を長手方向とする開口部を有するケースに収容される、筒状の本体部と、
前記本体部の端に設けられる第１のコネクタ部と、
前記第１のコネクタ部に設けられた操作杆と、
前記操作杆の前記開口部の枠に対向する側に形成され、前記ケースに取り付ける際に前記操作杆を弾性変形させることで前記ケースの前記開口部に設けられた枠を超えて係止し、前記ケースから取り外す際に前記操作杆を弾性変形させることで前記枠に対する係止が解除される爪部とを有する照明装置。
【請求項２】
前記第１のコネクタ部が設けられた前記本体部の端と逆側の端に設けられる第２のコネクタ部をさらに有し、
前記第１のコネクタ部は、他の装置の第２のコネクタ部と互いに嵌め合されることで、当該他の装置の第２のコネクタ部と電気的に接続される請求項１に記載の照明装置。
【請求項３】
前記第２のコネクタ部は、他の装置の第１のコネクタ部と嵌め合されることで当該他の装置の第１のコネクタ部の前記操作杆の弾性変形を妨げる形状を有する請求項２に記載の照明装置。
【請求項４】
展示物を展示する棚部と、
棚部の周囲に設けられたケースと、
前記ケースに取り付けられる請求項１又は２に記載の照明装置とを有する商品展示装置。
【請求項５】
情報を表示するパネルと、
前記パネルの周囲に設けられたケースと、
前記ケースに取り付けられる請求項１又は２に記載の照明装置とを有する表示装置。
【発明の詳細な説明】
【技術分野】
【０００１】
本発明は、照明装置、商品展示装置及び表示装置に関する。
【背景技術】
【０００２】
従来の技術として、発光ダイオードが実装された基板を照明ケースの嵌合溝に交換可能に取り付けられる照明装置が提案されている（例えば、特許文献１参照）。
【０００３】
特許文献１に開示された照明装置は、側面視でコの字形状をして奥行方向に長尺の照明ケースと、発光ダイオード（以下、「ＬＥＤ」という。）を実装した基板とを有し、照明ケース内には奥部の幅より開口部の寸法を小さくしたあり溝状の嵌合溝が形成されており、基板は平面視において一辺が嵌合溝の開口部の寸法より大きく、他辺が嵌合溝の開口部の寸法より小さく形成され、基板の一辺を照明ケースの長尺方向に平行にして開口部に挿入した後、基板を９０°回転させることにより嵌合溝に固定される。また、逆の手順により基板が嵌合溝から固定解除される。従って、基板は照明ケースに交換可能に取り付けされる。
【先行技術文献】
【特許文献】
【０００４】
【特許文献１】特開２００９−１９９９２４号公報
【発明の概要】
【発明が解決しようとする課題】
【０００５】
上記した特許文献１の照明装置は、照明ケースに基板が交換可能に取り付けられるものの、基板の設計に制限があり、例えば、長手方向が開口部の寸法以上の直管蛍光灯のような円筒形状の照明装置を、照明ケースと長手方向を一致させて取り付ける場合は、回転できないために同様の取り付け手順が採用できない、という問題がある。また、仮に取り付けることができたとしても、取り外す際にはケースを変形させる必要があり、作業が煩雑となる。
【０００６】
従って、本発明の目的は、長手方向がケースと一致する形状を有する照明装置について、ケースを変形させることなく交換可能に取り付けることができる照明装置、商品展示装置及び表示装置を提供することにある。
【課題を解決するための手段】
【０００７】
本発明の一態様は、上記目的を達成するため、以下の照明装置、商品展示装置及び表示装置を提供する。
【０００８】
［１］一の方向を長手方向とする外形に、前記一の方向を長手方向とする開口部を有するケースに収容される、筒状の本体部と、
前記本体部の端に設けられる第１のコネクタ部と、
前記第１のコネクタ部に設けられた操作杆と、
前記操作杆の前記開口部の枠に対向する側に形成され、前記ケースに取り付ける際に前記操作杆を弾性変形させることで前記ケースの前記開口部に設けられた枠を超えて係止し、前記ケースから取り外す際に前記操作杆を弾性変形させることで前記枠に対する係止が解除される爪部とを有する照明装置。
［２］前記第１のコネクタ部が設けられた前記本体部の端と逆側の端に設けられる第２のコネクタ部をさらに有し、
前記第１のコネクタ部は、他の装置の第２のコネクタ部と互いに嵌め合されることで、当該他の装置の第２のコネクタ部と電気的に接続される前記［１］に記載の照明装置。
［３］前記第２のコネクタ部は、他の装置の第１のコネクタ部と嵌め合されることで当該他の装置の第１のコネクタ部の前記操作杆の弾性変形を妨げる形状を有する前記［２］に記載の照明装置。
［４］展示物を展示する棚部と、
棚部の周囲に設けられたケースと、
前記ケースに取り付けられる前記［１］又は［２］に記載の照明装置とを有する商品展示装置。
［５］情報を表示するパネルと、
前記パネルの周囲に設けられたケースと、
前記ケースに取り付けられる前記［１］又は［２］に記載の照明装置とを有する表示装置。
【発明の効果】
【０００９】
請求項１、４又は５に係る発明によれば、長手方向がケースと一致する形状を有する照明装置について、ケースを変形させることなく交換可能に取り付けることができる。
また、請求項２に係る発明によれば、第１のコネクタ部と第２のコネクタ部とを嵌め合せることで、第１のコネクタ部と第２のコネクタ部とを電気的に接続することができる。
また、請求項３に係る発明によれば、第１のコネクタ部と第２のコネクタ部とを嵌め合せることで第１のコネクタ部の操作杆の弾性変形を妨げることができる。
【図面の簡単な説明】
【００１０】
【図１】図１は、第１の実施の形態に係る商品展示装置の構成を示す斜視図である。
【図２】図２（ａ）及び（ｂ）は、第１の実施の形態に係る照明装置及びケースの詳細を示す斜視図である。
【図３】図３（ａ）、（ｂ）、（ｃ）及び（ｄ）は、照明装置及びケースの詳細を示す平面図、左側面図、正面図、右側面図である。
【図４】図４（ａ）−（ｄ）は、照明装置の取り付け又は取り外し時の動作例を示す断面図であり、図３に示すＡ−Ａ断面図である。
【図５】図５（ａ）及び（ｂ）は、照明装置のコネクタ部によるロック機構を説明するための断面図であり、図３に示すＢ−Ｂ断面図である。
【図６】図６（ａ）及び（ｂ）は、比較例１の照明装置及びケースの詳細を示す斜視図である。
【図７】図７（ａ）、（ｂ）、（ｃ）及び（ｄ）は、比較例１の照明装置及びケースの詳細を示す平面図、左側面図、正面図、右側面図である。
【図８】図８（ａ）−（ｄ）は、比較例１の照明装置の取り付け又は取り外し時の動作例を示す左側面図である。
【図９】図９（ａ）及び（ｂ）は、第２の実施の形態に係る照明装置及びケースの詳細を示す斜視図である。
【図１０】図１０（ａ）、（ｂ）、（ｃ）及び（ｄ）は、照明装置及びケースの詳細を示す平面図、左側面図、正面図、右側面図である。
【図１１】図１１（ａ）−（ｄ）は、照明装置の取り付け又は取り外し時の動作例を示す断面図であり、図１０に示すＣ−Ｃ断面図である。
【図１２】図１２（ａ）及び（ｂ）は、照明装置のコネクタによるロック機構を説明するための断面図であり、図１０に示すＤ−Ｄ断面図である。
【図１３】図１３（ａ）及び（ｂ）は、比較例２の照明装置及びケースの詳細を示す斜視図である。
【図１４】図１４（ａ）、（ｂ）、（ｃ）及び（ｄ）は、比較例２の照明装置及びケースの詳細を示す平面図、左側面図、正面図、右側面図である。
【図１５】図１５（ａ）−（ｄ）は、比較例２の照明装置の取り付け又は取り外し時の動作例を示す左側面図である。
【発明を実施するための形態】
【００１１】
［第１の実施の形態］
図１は、第１の実施の形態に係る商品展示装置の構成を示す斜視図である。図２（ａ）及び（ｂ）は、第１の実施の形態に係る照明装置及びケースの詳細を示す斜視図である。図３（ａ）、（ｂ）、（ｃ）及び（ｄ）は、照明装置及びケースの詳細を示す平面図、左側面図、正面図、右側面図である。
【００１２】
（商品展示装置の全体構成）
図１において、符号１は商品展示装置の一構成例を模式的に示している。
【００１３】
この商品展示装置１は、展示物１２０に光を照射するための照明装置１０と、展示物１２０を展示するための筐体１１とから構成される。筐体１１は、上部を覆う屋根部１１０、展示物１２０を収容する本体部１１１、設置面に接する土台部１１２及び展示物１２０を陳列する棚部１１３を有し、正面の開口には上下左右にケース１１１ａｔ、１１１ａｂ、１１１ａｌ、１１１ａｒが取り付けられ、ケース１１１ａｔ、１１１ａｂ、１１１ａｌ、１１１ａｒには複数の照明装置１０が収容される。また、本体部１１１には照明装置１０に電力を供給する図示しない電源部や、展示物１２０の種類に応じて冷蔵装置や扉等が設けられている。
【００１４】
照明装置１０は、長尺の円筒形状をしており、ケース１１１ａｔ、１１１ａｂ、１１１ａｌ、１１１ａｒ内に嵌め込まれて固定される。なお、以降においてケース１１１ａｔ、１１１ａｂ、１１１ａｌ、１１１ａｒを総称してケース１１１ａと呼ぶことがある。
【００１５】
（照明装置の構成）
照明装置１０は、円筒形状の本体部１００と、本体部１００の一端に設けられた操作杆１０１ｂｒ及び１０１ｂｌを有するコネクタ部１０１（第１のコネクタ部）と、本体部１００の他端に設けられたコネクタ部１０２（第２のコネクタ部）とを有する。
【００１６】
本体部１００は、長手方向に一定間隔で配置される複数の発光素子であるＬＥＤと、複数のＬＥＤを実装する基板とを収容する。なお、基板は、本体部１００に支持部材によって、又は本体部１００の内壁に設けられた支持部によって支持される。
【００１７】
ＬＥＤのピッチ（配置間隔）及び配置個数は必要な明るさや照明効果などを考慮して設定される。基板は、材質として、例えばガラス基材（例えば、ＦＲ−４等）又はエポキシ系・ポリエステル系コンポジット基材（例えば、ＣＥＭ−３等）の材料を用いることができる。
【００１８】
照明装置１０は、チップタイプの白色のＬＥＤを使用するが、これに限定されるものではない。白色のＬＥＤに代えて、例えば青色ＬＥＤを蛍光体により波長変換して白色を発光可能に構成されていてもよく、それぞれ互いに異なる色光を発する３種類の赤色ＬＥＤ素子、緑色ＬＥＤ素子及び青色ＬＥＤ素子を有するＬＥＤ素子からなっていてもよい。更に他の一例としては、例えば赤色光、緑色光あるいは青色光のいずれかの単色光のうち、２種類の単色光を混合して組み合わせた色光を、あるいは３種類の単色光を混合して組み合わせた白色光をそれぞれ発光可能に構成したＬＥＤ素子を使用することができる。
【００１９】
照明装置１０の本体部１００は、例えばアクリル樹脂あるいはポリカーボネート樹脂などの透明又は拡散剤を含む光透過性管状部材からなる。また、コネクタ部１０１及びコネクタ部１０２は、同様に例えばアクリル樹脂あるいはポリカーボネート樹脂等の樹脂材質からなる。
【００２０】
コネクタ部１０１は、コネクタ１０１ｃより外側に、爪部１０１ａｒが設けられた操作杆１０１ｂｒと、爪部１０１ａｌが設けられた操作杆１０１ｂｌとを有する。操作杆１０１ｂｒ及び１０１ｂｌは、コネクタ部１０１の基部１０１ｄに対し径の中心方向に弾性的に変位可能に設けられている。
【００２１】
コネクタ部１０２は、コネクタ１０２ｃの外周側にリブ１０２ａｒ及び１０２ａｌを有する。リブ１０２ａｒ及び１０２ａｌは、照明装置１０の長手方向に垂直な面において、リブ１０２ａｒ及び１０２ａｌを合わせた幅の寸法が、コネクタ部１０１の操作杆１０１ｂｒと１０１ｂｌとが向かい合った間隔と略一致するように形成される。
【００２２】
コネクタ部１０１及び１０２のコネクタ１０１ｃ及び１０２ｃは、それぞれ円筒形状を有しており、コネクタ１０１ｃの外周直径は、コネクタ１０２ｃの内周直径に略一致するように形成される。
【００２３】
コネクタ１０１ｃ及び１０２ｃの端子１０１ｔ及び１０２ｔは、オス、メスの組み合わせにより構成され、互いに嵌め合されることで電気的に接続する。また、端子１０１ｔ及び１０２ｔの本体部１００側の端は、本体部１００に収容された基板上に設けられたパッドと電気的に接続されている。なお、端子を用いる他、電気的に接続できるものであれば、リード線やリード線の先端にコネクタを設けたものを用いてもよい。
【００２４】
コネクタ部１０１及びコネクタ部１０２の本体部１００と接続される接続部の外周面は本体部１００の一端側の内周側で互いに設けられた係止凸部と係止凹部とを係合して取り付けられている。
【００２５】
照明装置１０は、図２（ｂ）に示すように、Ｄ１方向にケース１１１ａに押し込むことで、ケース１１１ａの開口部１１１ａｏに設けられた係止枠１１１ａｌ及び１１１ａｒに、操作杆１０１ｂｒ及び１０１ｂｌと一体に形成された爪部１０１ａｌ及び１０１ａｒが係合し、ケース１１１ａに対して固定される。
【００２６】
また、ケース１１１ａに固定された照明装置１０を、図２（ｂ）に示すように、Ｄ２方向にスライドさせることで、コネクタ部１０２は他の照明装置１０のコネクタ部１０１に嵌め込まれ、コネクタ内部の端子が互いに電気的に接続される。
【００２７】
（ケースの構成）
ケース１１１ａは、長手方向に垂直な断面においてコの字形状をしており、開口部１１１ａｏを有する。開口部１１１ａｏは、係止枠１１１ａｌ及び１１１ａｒによってケース幅より寸法を小さく、かつ、照明装置１０の本体部１００の直径より寸法を大きく形成される。ケースは、材質として、例えばアルミ等の金属又はポリカーボネート等の樹脂の材料を用いることができる。
【００２８】
（取り付け又は取り外し時の動作）
図４（ａ）−（ｄ）は、照明装置１０の取り付け又は取り外し時の動作例を示す断面図であり、図３に示すＡ−Ａ断面図である。
【００２９】
図４（ａ）は、ケース１１１ａに対して照明装置１０が取り付けられた状態を示す。操作杆１０１ｂｒ及び１０１ｂｌがコネクタ部１０１の基部１０１ｄに対して弾性的に設けられているため、爪部１０１ａｒ及び１０１ａｌがケース１１１ａの係止枠１１１ａｒ及び１１１ａｌに係止されている。
【００３０】
ケース１１１ａから照明装置１０を取り外すため、図４（ｂ）に示すように、操作杆１０１ｂｒ及び１０１ｂｌに対して図中の矢印方向に力Ｆ１を加えると、爪部１０１ａｒ及び１０１ａｌが係止枠１１１ａｒ及び１１１ａｌから外れる。
【００３１】
次に、図４（ｃ）に示すように、操作杆１０１ｂｒ及び１０１ｂｌに対して図中の矢印方向に力Ｆ１を加えたままの状態で、照明装置１０を引き抜くことで、図４（ｄ）に示すように、ケース１１１ａから照明装置１０が取り外される。
【００３２】
また、上記した動作を逆に行うことでケース１１１ａに照明装置１０が取り付けられる。なお、取り付けの際は図４（ｂ）及び（ｃ）に示すように、操作杆１０１ｂｒ及び１０１ｂｌに対して図中の矢印方向に力Ｆ１を加えずとも、照明装置１０をケース１１１ａに対して押し込むことで、操作杆１０１ｂｒ及び１０１ｂｌが変形し、爪部１０１ａｒ及び１０１ａｌがケース１１１ａの係止枠１１１ａｒ及び１１１ａｌに係止される。
【００３３】
図５（ａ）及び（ｂ）は、照明装置１０のコネクタ部１０１及び１０２によるロック機構を説明するための断面図であり、図３に示すＢ−Ｂ断面図である。
【００３４】
図５（ａ）に示すように、コネクタ部１０１にコネクタ部１０２が嵌め込まれている状態においては、リブ１０２ａｒ及び１０２ａｌは、それぞれコネクタ部１０１の操作杆１０１ｂｒ及び１０１ｂｌの内周面に接している、又はわずかな間隙を有する。
【００３５】
ケース１１１ａから照明装置１０を取り外すため、図５（ｂ）に示すように、操作杆１０１ｂｒ及び１０１ｂｌに対して図中の矢印方向に力Ｆ１を加えても、リブ１０２ａｒ及び１０２ａｌがそれぞれコネクタ部１０１の操作杆１０１ｂｒ及び１０１ｂｌの変形を妨げるため、爪部１０１ａｒ及び１０１ａｌが係止枠１１１ａｒ及び１１１ａｌから外れない。
【００３６】
なお、リブ１０２ａｒ及び１０２ａｌの形状は一例であり、操作杆１０１ｂｒ及び１０１ｂｌの変形を妨げる形状であれば他の形状であってもよい。
【００３７】
［比較例１］
図６（ａ）及び（ｂ）は、比較例１の照明装置及びケースの詳細を示す斜視図である。図７（ａ）、（ｂ）、（ｃ）及び（ｄ）は、比較例１の照明装置及びケースの詳細を示す平面図、左側面図、正面図、右側面図である。
【００３８】
比較例１の照明装置５０は、本体部５００に爪部５００ｂｒ及び５００ｂｌを有し、コネクタ部５０１に爪部及び操作杆を有しておらず、コネクタ部５０２にリブを有していないものである。
【００３９】
その他の点については、照明装置５０と照明装置１０とは同一の寸法を有しているものとし、本体部５００に収容されたＬＥＤや基板等の構成も同様であるとする。本体部５００、コネクタ部５０１及びコネクタ部５０２が、それぞれ本体部１００、コネクタ部１０１及びコネクタ部１０２に対応している。
【００４０】
（取り付け又は取り外し時の動作）
図８（ａ）−（ｄ）は、比較例１の照明装置５０の取り付け又は取り外し時の動作例を示す左側面図である。
【００４１】
図８（ａ）は、ケース１１１ａに対して照明装置５０が取り付けられた状態を示す。爪部５００ｂｒ及び５００ｂｌがケース１１１ａの係止枠１１１ａｒ及び１１１ａｌに係止されている。
【００４２】
ケース１１１ａから照明装置５０を取り外すためには、図８（ｂ）に示すように、ケース１１１ａの係止枠１１１ａｒ及び１１１ａｌに対して図中の矢印方向に力Ｆ１を加えて開口部１１１ａｏを拡げる必要があるが、爪部５００ｂｒ及び５００ｂｌは本体部５００の長手方向に及んでいるため、係止枠１１１ａｒ及び１１１ａｌを外すのは困難である。
【００４３】
次に、図８（ｃ）に示すように、係止枠１１１ａｒ及び１１１ａｌに対して図中の矢印方向に力Ｆ１を加えたままの状態で、照明装置５０を引き抜くことで、図８（ｄ）に示すように、ケース１１１ａから照明装置５０が取り外される。
【００４４】
また、上記した動作を逆に行うことでケース１１１ａに照明装置５０が取り付けられる。なお、取り付けの際は図８（ｂ）及び（ｃ）に示すように、係止枠１１１ａｒ及び１１１ａｌに対して図中の矢印方向に力Ｆ１を加えずとも、照明装置５０をケース１１１ａに対して押し込むことで、ケース１１１ａが変形し、爪部５００ｂｒ及び５００ｂｌがケース１１１ａの係止枠１１１ａｒ及び１１１ａｌに係止される。
【００４５】
（第１の実施の形態の効果）
第１の実施の形態に係る照明装置１０によると、次の効果が得られる。ケース１１１ａの開口部１１１ａｏに設けられた枠１１１ａｒ及び１１１ａｌに係止される爪部１０１ａｒ及び１０１ａｌを、操作杆１０１ｂｒ及び１０１ｂｌを操作することによって係止解除状態とするようにしたため、長手方向がケース１１１ａの長手方向と一致する形状を有する照明装置１０について、ケース１１１ａを変形させることなく交換可能に取り付けすることができる。
【００４６】
また、コネクタ部１０２にリブ１０２ａｒ及び１０２ａｌを設けて、コネクタ部１０１とコネクタ部１０２とを嵌め合せた状態において操作杆１０１ｂｒ及び１０１ｂｌの弾性変形を妨げるようにしたため、ケース１１１ａに照明装置１０が装着された状態において、設置者以外の者がいたずらにより照明装置１０を取り外すことを防止することができる。
【００４７】
［第２の実施の形態］
図９（ａ）及び（ｂ）は、第２の実施の形態に係る照明装置及びケースの詳細を示す斜視図である。図１０（ａ）、（ｂ）、（ｃ）及び（ｄ）は、照明装置及びケースの詳細を示す平面図、左側面図、正面図、右側面図である。なお、第１の実施の形態と同様の構成については記載を省略することがある。また、各部材の材料は第１の実施の形態と同様のものを採用する。
【００４８】
（照明装置の構成）
照明装置２０は、円筒形状の本体部２００と、本体部２００の一端に設けられた操作杆２０１ｂｒ及び２０１ｂｌを有するコネクタ部２０１と、本体部２００の他端に設けられたコネクタ部２０２を有する。
【００４９】
本体部２００は、第１の実施の形態の本体部１００と同様に、長手方向に一定間隔で配置される複数の発光素子であるＬＥＤと、複数のＬＥＤを実装する基板とを収容する。なお、基板は、本体部２００に支持部材によって、又は本体部２００の内壁に設けられた支持部によって支持される。
【００５０】
コネクタ部２０１は、コネクタ２０１ｃより外側に、爪部２０１ａｒが設けられた操作杆２０１ｂｒと、爪部２０１ａｌが設けられた操作杆２０１ｂｌとを有する。操作杆２０１ｂｒ及び２０１ｂｌは、コネクタ部２０１の基部２０１ｄに対し径の中心方向に弾性的に変位可能に設けられている。
【００５１】
コネクタ部２０２は、コネクタ２０２ｃの外周側にリブ２０２ａｒ及び２０２ａｌを有する。リブ２０２ａｒ及び２０２ａｌは、照明装置２０の長手方向に垂直な面において、リブ２０２ａｒ及び２０２ａｌを合わせた幅の寸法が、コネクタ部２０１の操作杆２０１ｂｒと２０１ｂｌとが向かい合った間隔と略一致するように形成される。
【００５２】
コネクタ部２０１及び２０２のコネクタ２０１ｃ及び２０２ｃは、それぞれ円筒形状を有しており、コネクタ２０１ｃの外周直径は、コネクタ２０２ｃの内周直径に略一致するように形成される。
【００５３】
コネクタ２０１ｃ及び２０２ｃの端子２０１ｔ及び２０２ｔは、オス、メスの組み合わせにより構成され、互いに嵌め合されることで電気的に接続する。また、端子２０１ｔ及び２０２ｔの本体部２００側の端は、本体部２００に収容された基板上に設けられたパッドと電気的に接続されている。なお、端子を用いる他、電気的に接続できるものであれば、リード線やリード線の先端にコネクタを設けたものを用いてもよい。
【００５４】
照明装置２０は、図９（ｂ）に示すように、Ｄ３方向にケース２１１ａに押し込むことで、ケース２１１ａの開口部１１１ａｏに設けられた係止枠１１１ａｌ及び１１１ａｒに、操作杆２０１ｂｒ及び２０１ｂｌと一体に形成された爪部２０１ａｌ及び２０１ａｒが係合し、ケース２１１ａに対して固定される。
【００５５】
また、ケース２１１ａに固定された照明装置２０を、図９（ｂ）に示すように、Ｄ４方向にスライドさせることで、コネクタ部２０２は他の照明装置２０のコネクタ部２０１に嵌め込まれ、コネクタ内部の端子が互いに電気的に接続される。
【００５６】
（ケースの構成）
ケース２１１ａは、長手方向に垂直な断面においてＬ字形状をしており、開口部２１１ａｏを有する。開口部２１１ａｏは、係止枠２１１ａｌ及び２１１ａｒによってケース幅より寸法を小さく、かつ、照明装置２０の本体部２００の直径より寸法を大きく形成される。
【００５７】
（取り付け又は取り外し時の動作）
図１１（ａ）−（ｄ）は、照明装置２０の取り付け又は取り外し時の動作例を示す断面図であり、図１０に示すＣ−Ｃ断面図である。
【００５８】
図１１（ａ）は、ケース２１１ａに対して照明装置２０が取り付けられた状態を示す。操作杆２０１ｂｒ及び２０１ｂｌがコネクタ部２０１の基部２０１ｄに対して弾性的に設けられているため、爪部２０１ａｒ及び２０１ａｌがケース２１１ａの係止枠２１１ａｒ及び２１１ａｌに係止されている。
【００５９】
ケース２１１ａから照明装置２０を取り外すため、図１１（ｂ）に示すように、操作杆２０１ｂｒ及び２０１ｂｌに対して図中の矢印方向に力Ｆ２を加えると、爪部２０１ａｒ及び２０１ａｌが係止枠２１１ａｒ及び２１１ａｌから外れる。
【００６０】
次に、図１１（ｃ）に示すように、操作杆２０１ｂｒ及び２０１ｂｌに対して図中の矢印方向に力Ｆ２を加えたままの状態で、照明装置２０を引き抜くことで、図１１（ｄ）に示すように、ケース２１１ａから照明装置２０が取り外される。
【００６１】
また、上記した動作を逆に行うことでケース２１１ａに照明装置２０が取り付けられる。なお、取り付けの際は図１１（ｂ）及び（ｃ）に示すように、操作杆２０１ｂｒ及び２０１ｂｌに対して図中の矢印方向に力Ｆ２を加えずとも、照明装置２０をケース２１１ａに対して押し込むことで、操作杆２０１ｂｒ及び２０１ｂｌが変形し、爪部２０１ａｒ及び２０１ａｌがケース２１１ａの係止枠２１１ａｒ及び２１１ａｌに係止される。
【００６２】
図１２（ａ）及び（ｂ）は、照明装置２０のコネクタ部２０１及び２０２によるロック機構を説明するための断面図であり、図１０に示すＤ−Ｄ断面図である。
【００６３】
図１２（ａ）に示すように、コネクタ部２０１にコネクタ部２０２が嵌め込まれている状態においては、リブ２０２ａｒ及び２０２ａｌは、それぞれコネクタ部２０１の操作杆２０１ｂｒ及び２０１ｂｌの内周面に接している、又はわずかな間隙を有する。
【００６４】
ケース２１１ａから照明装置２０を取り外すため、図１２（ｂ）に示すように、操作杆２０１ｂｒ及び２０１ｂｌに対して図中の矢印方向に力Ｆ２を加えても、リブ２０２ａｒ及び２０２ａｌがそれぞれコネクタ部２０１の操作杆２０１ｂｒ及び２０１ｂｌの変形を妨げるため、爪部２０１ａｒ及び２０１ａｌが係止枠２１１ａｒ及び２１１ａｌから外れない。
【００６５】
［比較例２］
図１３（ａ）及び（ｂ）は、比較例２の照明装置及びケースの詳細を示す斜視図である。図１４（ａ）、（ｂ）、（ｃ）及び（ｄ）は、比較例２の照明装置及びケースの詳細を示す平面図、左側面図、正面図、右側面図である。
【００６６】
比較例２の照明装置６０は、本体部６００に爪部６００ｂｒ及び６００ｂｌを有し、コネクタ部６０１に爪部及び操作杆を有しておらず、コネクタ部６０２にリブを有していないものである。
【００６７】
その他の点については、照明装置６０と照明装置２０とは同一の寸法を有しているものとし、本体部６００に収容されたＬＥＤや基板等の構成も同様であるとする。本体部６００、コネクタ部６０１及びコネクタ部６０２が、それぞれ本体部２００、コネクタ部２０１及びコネクタ部２０２に対応している。
【００６８】
（取り付け又は取り外し時の動作）
図１５（ａ）−（ｄ）は、比較例２の照明装置６０の取り付け又は取り外し時の動作例を示す左側面図である。
【００６９】
図１５（ａ）は、ケース２１１ａに対して照明装置６０が取り付けられた状態を示す。爪部６００ｂｒ及び６００ｂｌがケース２１１ａの係止枠２１１ａｒ及び２１１ａｌに係止されている。
【００７０】
ケース２１１ａから照明装置６０を取り外すためには、図１５（ｂ）に示すように、ケース２１１ａの係止枠２１１ａｒ及び２１１ａｌに対して図中の矢印方向に力Ｆ２を加えて開口部２１１ａｏを拡げる必要があるが、爪部６００ｂｒ及び６００ｂｌは本体部６００の長手方向に及んでいるため、係止枠２１１ａｒ及び２１１ａｌを外すのは困難である。
【００７１】
次に、図１５（ｃ）に示すように、係止枠２１１ａｒ及び２１１ａｌに対して図中の矢印方向に力Ｆ２を加えたままの状態で、照明装置６０を引き抜くことで、図１５（ｄ）に示すように、ケース２１１ａから照明装置６０が取り外される。
【００７２】
また、上記した動作を逆に行うことでケース２１１ａに照明装置６０が取り付けられる。なお、取り付けの際は図１５（ｂ）及び（ｃ）に示すように、係止枠２１１ａｒ及び２１１ａｌに対して図中の矢印方向に力Ｆ２を加えずとも、照明装置６０をケース２１１ａに対して押し込むことで、ケース２１１ａが変形し、爪部６００ｂｒ及び６００ｂｌがケース２１１ａの係止枠２１１ａｒ及び２１１ａｌに係止される。
【００７３】
（第２の実施の形態の効果）
第２の実施の形態に係る照明装置２０によると、次の効果が得られる。第１の実施の形態と異なる断面形状を有するケース２１１ａを採用した場合であっても、第１の実施の形態と同様の効果を奏することができる。
【００７４】
本発明は、上記各実施の形態及び図示例に限定されるものではなく、各請求項に記載した範囲内で様々に設計変更が可能である。例えば、操作杆及び爪部を両端のコネクタに設けるものであってもよい。
【００７５】
また、コネクタ１０２、２０２に接続する電源端子に操作杆及び爪部を設けてもよい。
【００７６】
また、コネクタ１０１、２０１に接続する電源端子にリブを設けてもよい。
【００７７】
照明装置１０は、上記実施の形態において商品展示装置１に用いたが、例えば、内照看板や外照看板等の表示装置に好適に用いることができる。
【符号の説明】
【００７８】
１     商品展示装置
１０   照明装置
１１   筐体
２０   照明装置
５０   照明装置
６０   照明装置
１００ 本体部
１０１ コネクタ部
１０１ａｌ、１０１ａｒ      爪部
１０１ｂｌ、１０１ｂｒ      操作杆
１０１ｃ      コネクタ
１０１ｄ      基部
１０１ｔ      端子
１０２ コネクタ部
１０２ａｒ、１０２ａｌ      リブ
１０２ｃ      コネクタ
１１０ 屋根部
１１１ 本体部
１１１ａ      ケース
１１１ａｏ    開口部
１１１ａｌ、１１１ａｒ      係止枠
１１２ 土台部
１１３ 棚部
１２０ 展示物
２００ 本体部
２０１ コネクタ部
２０１ａｌ、２０１ａｒ      爪部
２０１ｂｌ、２０１ｂｒ      操作杆
２０１ｃ      コネクタ
２０１ｄ      基部
２０１ｔ      端子
２０２ コネクタ部
２０２ａｒ    リブ
２０２ｃ      コネクタ
２１１ａ      ケース
２１１ａｏ    開口部
２１１ａｌ、２１１ａｒ      係止枠
５００ 本体部
５００ｂｒ、５００ｂｒ      爪部
５０１ コネクタ部
５０２ コネクタ部
６００ 本体部
６００ｂｌ、６００ｂｒ      爪部
６０１ コネクタ部
６０２ コネクタ部
【図１】
2017098159.tif 000003
【図２】
2017098159.tif 000004
【図３】
2017098159.tif 000005
【図４】
2017098159.tif 000006
【図５】
2017098159.tif 000007
【図６】
2017098159.tif 000008
【図７】
2017098159.tif 000009
【図８】
2017098159.tif 000010
【図９】
2017098159.tif 000011
【図１０】
2017098159.tif 000012
【図１１】
2017098159.tif 000013
【図１２】
2017098159.tif 000014
【図１３】
2017098159.tif 000015
【図１４】
2017098159.tif 000016
【図１５】
2017098159.tif 000017